(57)【要約】【課題】障子の枠体を使用してプリーツ状のシート部材を張設することにより、建築物において貴重な柱を傷付けることもなく、枠体内に桟を組み込んだ障子における和風の雰囲気をそのまま残しており、なおかつ、折り畳んだ時に非常にコンパクトとなって所望の位置に開口部を確保でき、シート部材の交換も容易で美しく仕上げることができるプリーツ障子を提供することが可能となった。【解決手段】障子の複数の桝目に仕切られた枠体と、プリーツ状に断面が交互に屈曲形成されて長さ方向の拡縮を可能とするとともに、プリーツ状に折り曲げられた各片を貫通する小孔が所定の間隔で形成されたシート部材と、前記シート部材の各列の小孔に挿通され、上記障子の桝目の対向する枠体間に取り付けまたは取り外し可能に差し渡された１対のガイド部材と、前記シート部材の両端に設けられたそれぞれ補強部材とを有することを特徴とするプリーツ障子。【選択図】          図１
2004353280.tif 000002
【特許請求の範囲】
【請求項１】
障子の複数の桝目に仕切られた枠体と、プリーツ状に断面が交互に屈曲形成されて長さ方向の拡縮を可能とするとともに、プリーツ状に折り曲げられた各片を貫通する小孔が所定の間隔で形成されたシート部材と、前記シート部材の各列の小孔に挿通され、上記障子の桝目の対向する枠体間に取り付けまたは取り外し可能に差し渡された１対のガイド部材と、前記シート部材の両端に設けられたそれぞれ補強部材とを有することを特徴とするプリーツ障子。
【請求項２】
障子の桝目の対向する枠体間に取り付けまたは取り外し可能に差し渡されたガイド部材が、伸縮可能な棒状体からなることを特徴とする請求項１に記載のプリーツ障子。
【請求項３】
障子の桝目の対向する枠体間に取り付けまたは取り外し可能可能に差し渡されたガイド部材が、両側の枠体に取り付けた１対の丸環と、１対の丸環の間に張設した紐やコード類からなることを特徴とする請求項１に記載のプリーツ障子。
【発明の詳細な説明】
【０００１】
【発明の属する技術分野】この発明は、従来の障子にプリーツ状のシート部材を適用して、障子の枠体内を開閉自在としたプリーツ障子に関する。
【０００２】
【従来の技術】従来から障子は間仕切りとして、また窓や縁側の内側に設置して広く使用されている。この障子は、格子状に組んだ木製の桟に糊を使用して障子紙を貼ったものであり、外部からの視線を遮断できるだけでなく、ある程度の採光、防音、断熱及び通気を行うことができる。また、この障子紙が汚れたり破れたりした場合には、障子紙を貼替えることによりその補修を行うことができる。その方法は、糊を濡らして障子紙を一旦剥がした後に、予め寸法を設定しておいた新しい障子紙を糊を使用して貼り付けるとともに、障子紙の余分な部分を切り取るというものである。
【０００３】一方、特開平１０−３５８４２４号公報（特許文献１参照）には、横長孔が上部に形成されたアコーディオン式のシート部材と、前記シート部材の両側に沿って設けられた第１、第２の支持部材と、前記シート部材の横長孔を挿通するガイド部材と、前記シート部材の中間部及び下部を挿通し、その両端は前記第１、第２の支持部材に固定された支持糸又は支持帯とを有しているアコーディオン式の障子と称するものが提案されている。
【０００４】
【特許文献１】特開平１０−３５８４２４号公報
【０００５】
【発明が解決しようとする課題】しかしながら、従来の障子においてはその枠体に障子紙を貼るものであるということから種々の問題があった。すなわち、障子においては、すでに貼られている障子紙を剥がす、次いで新しい障子紙を貼る、その上で乾かすという工程が必要であるために、その製作や貼替えに多大の時間を要していた。また障子の貼替えには、古い障子紙とともに枠体を濡らして障子紙を剥がすために枠体が痛みやすかった。しかも障子紙に糊をつけて貼るために手間がかかるばかり、乾かすのに時間がかかり、障子紙を所定の大きさに切るためにカッターが必要で、やはり枠体をいためやすいという問題点があった。このように、従来の障子紙におけるその手間というものは非常にわずらわしいものであった。
【０００６】しかも障子の場合、最大でも閉じたときの半分の大きさの開口部しかつくり出すことができないため、十分な開口部を確保することは困難であった。また、障子紙の貼替えにおいては障子紙をぴんと張った状態で桟に貼り付ける必要があり、美しく仕上げるにはそれなりの技術を要し、素人が美しく仕上げるのは非常に困難であった。
【０００７】また、特開平１０−３５８４２４号公報記載のアコーディオン式の障子と称するものの場合、単にアコーディオン式の間仕切りの素材を紙の素材に交換したに過ぎず、構造上は障子ではなくアコーディオン式のカーテンを意味するものである。しかも障子の枠体を使用しないで柱と柱との間に直接アコーディオン式のシート部材を張設するため、建築物において貴重な柱を傷付けるおそれがあり、枠体内に桟を組み込んだ障子のような、和風の雰囲気を失ってしまうという問題があった。
【０００８】この発明はかかる事情に鑑みてなされたもので、障子の枠体を使用するとともに、従来のような糊を使用することなくプリーツ状のシート部材を張設するため、障子の製作や障子紙の貼替えに手間がかからず、またその作業にも熟練を必要としない。
また、建築物において貴重な柱を傷付けることもなく、枠体内に桟を組み込んだ障子における和風の雰囲気をそのまま残しており、なおかつ、折り畳んだ時に非常にコンパクトとなって所望の位置に開口部を確保でき、シート部材の交換も容易で美しく仕上げることができるプリーツ障子を提供することを目的とする。
【０００９】
【課題を解決するための手段】従来例の上記課題を解消するため、この発明に係るプリーツ障子は、障子の枠体を使用することを特徴としている。すなわち、障子の複数の桝目に仕切られた枠体と、プリーツ状に断面が交互に屈曲形成されて長さ方向の拡縮を可能とするとともに、プリーツ状に折り曲げられた各片を貫通する小孔が所定の間隔で形成されたシート部材と、前記シート部材の各列の小孔に挿通され、上記障子の桝目の対向する枠体間に取り付けまたは取り外し可能に差し渡された１対のガイド部材と、前記シート部材の両端に設けられたそれぞれ補強部材とを有することを特徴とするものである。
【００１０】この発明に係るプリーツ障子は、上記障子の桝目の対向する枠体間に取り付けまたは取り外し可能可能に差し渡されたガイド部材が、伸縮可能な棒状体からなることをも特徴としている。
【００１１】この発明に係るプリーツ障子は、上記障子の桝目の対向する枠体間に取り付けまたは取り外し可能可能に差し渡されたガイド部材が、両側の枠体に取り付けた１対の丸環と、１対の丸環の間に張設した紐やコード類からなることをも特徴としている。
【００１２】
【発明の実施の形態】次に、図面に基いてこの発明のプリーツ障子の実施の形態につき詳細に説明する。
図１はこの発明のプリーツ障子の１実施例を示す正面図、図２はその要部拡大図、図３はその分解図、図４は他の実施例を示す分解図、図５はこの発明のプリーツ障子の変形例を示す説明図である。
【００１３】図１ないし図３に示すように、この発明の実施例に係るプリーツ障子１１は、障子の枠体１２を使用することを特徴としている。すなわち、障子の枠体１２と、シート部材２１とそのシート部材２１の両側に張設された補強部材２２と、シート部材２１および補強部材２２に挿通するガイド部材２３とを有している。以下、詳しく説明する。
【００１４】上記障子１１は、複数の桝目に仕切られた枠体１２で構成されている。そして、枠体１２内に取り付けられたシート部材２１は、プリーツ状に断面が交互に屈曲形成されて長さ方向の拡縮を可能となっている。またシート部材２１には、プリーツ状に折り曲げられたカードタイプの各片をそれぞれ貫通する小孔２３が、上下に所定の間隔で一対形成されている。この小孔２３の形状や大きさは、後述するガイド部材２４の規格に応じて適宜決定することができる。
なお、シート部材２１全体を１枚で構成したり、シート部材２１を複数に分割して部分的に開閉可能としてもよい。
【００１５】上記シート部材２１は、プリーツ状に断面が交互に屈曲形成されており、横方向にシート部材２１が拡縮できるようになっている。また、そのプリーツ状に折り曲げられた各片の上部および下部には円形の小孔２３が列をなすよう形成されている。また、シート部材２１には、例えば和紙、再生紙等を使用することができ、無地または模様入りとすることができる。
【００１６】上記シート部材２１の両側には、プリーツ状に折り曲げられた各片と縦横同様の長さで所定の厚さを備えた補強部材２２が接着剤等によって固着されている。補強部材２２としては、硬質の厚紙や木製の板状物を使用することができ、プリーツ状に断面が交互に屈曲形成されたシート部材２１に重量を与え、シート部材２１を安定に保持できるようにしている。
【００１７】上記シート部材２１の各列の小孔２３には、上記障子１１の桝目の対向する枠体１２間に取り付けまたは取り外し可能に差し渡された１対のガイド部材２４がそれぞれ挿通される。
【００１８】ガイド部材２４は、例えば木製あるいは竹製のヒゴのようなものや、ステンレス等からなる直径が１〜１０ｍｍ程度の断面が円形の棒状物であって、伸縮が可能であって、上記枠体１２間に取付け取外しが容易にできる構造を採用している。上下に一対のガイド部材２４は、シート部材２１の小孔２３に挿通された状態で枠体１２間に張設され、プリーツ障子１１を構成するシート部材２１を確実に保持する。なお、上記ガイド部材２４は各地の障子の規格に応じて複数の寸法のものを用意しておくことが望ましい。２５は枠体１２の内壁に細釘等で取り付けた取付枠で、その内壁に形成した取付孔２６にガイド部材２４をその弾性を利用してはめ込むことにより、ガイド部材２４を取り付けたり取り外したりすることができるようになっている。
【００１９】図４は上記取付枠の他の実施例を示し、この例における取付枠２７は、その厚さ方向に開けられた取付孔２６ではなく、その内壁に筒状取付部２８を突設したものである。
【００２０】この発明の実施例に係る上記プリーツ障子１１は、上記実施例においては障子１１の最上部の枠体１２に、シート部材２１を張設しているが、障子１１の中段や下段、あるいは複数の段やすべての段に張設することもできる。また枠体１２を縦に配設して、そのいずれかの列や複数の列に上下に開閉するようシート部材２１を取り付けることもできる。
【００２１】次に、この発明のプリーツ障子１１の使用状態について説明する。ここで、プリーツ障子１１は、ガイド部材２４を桝目の対向する枠体１２間に張設している。もちろん、ガイド部材２４は、シート部材２１および補強部材２２の小孔２３に挿通した状態で枠体１２間に取り付けられている。上記シート部材２１を広げて枠体１２間に張設するに場合は、補強部材２２にフックや磁石を取り付けておき、枠体１２の内表面に取り付けた係止部にフックを引っ掛けたり、枠体１２の内表面に取り付けた極性の異なる磁石に吸着させることにより、その目的を達成することができる。
【００２２】図５の実施例においては、障子１１の桝目の対向する枠体１２間に取り付けまたは取り外し可能可能に差し渡されたガイド部材３１が、桝目の両側に位置する枠体１２に、ネジ部材３２を介して取り付けた１対の丸環３３と、１対の丸環３３の間に張設した紐や、例えばナイロンコード等のコード類（釣り用のテグス等に利用）３４で構成されている。
【００２３】すなわちコード類３４は、丸環３３に挿通して１対の丸環３３の間に張力をかけて張り、コード類３４の端部を鉛管３５でかしめることによって１対の丸環３３間に取り付けられている。もちろん、取り外すときはコード類３４を切断し、新しいコード類３４を再度丸環３３間に張設すればよい。
図５ではコード類３４の例としてナイロンテグスを例にあげたが、耐久性のある糸等を利用してもよいことはもちろんである。
【００２４】
【発明の効果】この発明によれば、障子の枠体を使用してプリーツ状のシート部材を張設することを特徴としているため、糊等を使用することなく短時間にシート部材を取り替えることができ、障子の貼替え等に要する時間が従来の１／３程度の工程となる。
【００２５】また建築物において貴重な柱を傷付けることもなく、枠体内に桟を組み込んだ障子における和風の雰囲気をそのまま残している。
以上のように、折り畳んだ時に非常にコンパクトとなって所望の位置に開口部を確保でき、シート部材の交換も容易で美しく仕上げることができるプリーツ障子を提供することができるようになった。
【図面の簡単な説明】
【図１】この発明のプリーツ障子の１実施例を示す正面図である。
【図２】その要部拡大図である。
【図３】その分解図である。
【図４】他の実施例を示す分解図である。
【図５】この発明のプリーツ障子の変形例を示す説明図である。
【符号の説明】
１１  障子
１２  枠体
２１  シート部材
２２  補強部材
２３  小孔
２４  ガイド部材
２５  取付枠
２６  取付孔
２７  取付枠
２８  筒状取付部
３１  ガイド部材
３２  ネジ部材
３３  丸環
３４  コード類
３５  鉛管
【図１】
2004353280.tif 000003
【図２】
2004353280.tif 000004
【図３】
2004353280.tif 000005
【図４】
2004353280.tif 000006
【図５】
2004353280.tif 000007